【手続補正書】
【提出日】平成26年1月10日(2014.1.10)
【手続補正１】
【補正対象書類名】明細書
【補正対象項目名】全文
【補正方法】変更
【補正の内容】
【発明の詳細な説明】
【発明の名称】光ディスクドライブ
【技術分野】
【０００１】
本発明は光ディスクドライブに関し、より具体的には、フラットケーブルを保護し且つフラットケーブルの耐用年数を増大し得る、トレイ及びメインボードに接続されるフラットケーブルを備える、光ディスクドライブに関する。
【背景技術】
【０００２】
トレイ式の光ディスクドライブのトレイの上の電子部品とメインボードとの間を接続し且つ信号及び電気を伝送するために、細いフラットケーブルが使用される。フラットケーブルはトレイと共に装填され或いは取り外され、フラットケーブルは、光ディスクドライブが安定的に作動し得るよう、長い間に亘って前後の押込み及び折畳み変形に耐える必要がある。
【０００３】
図１を参照。図１は、特許文献１に示すような従来技術における光ディスクドライブ１０の断面図である。メインボード１２がケーシング１１の後端部に固定され、ディスク１５を回転するスピンドルモータ１４を支持するために、トレイ１３がケーシング１１の内側に配置される。電子部品を備える第二ボード１６が、スピンドルモータ１４に適うよう、トレイ１３の下に配置される。第二ボード１６の底部は、電磁干渉を絶縁するために、金属プレート１８で覆われる。フラットケーブル１８がケーシング１１の底部に折畳み可能に固定される。フラットケーブル１７の一端部はメインボード１２に接続され、フラットケーブル１７の他端部は第二ボード１６のコネクタ１９と接続される。フラットケーブル１７は、メインボード１２と第二ボード１６との間で電気及び信号の伝送をもたらすために、トレイ１３と共にケーシング１１の内外に出入り移動する。光ディスクドライブがより細くなると、フラットケーブル１７’は、スリム化されたケーシング１１’によって持ち上げられ、スリム化されたケーシング１１’と金属プレート１８との間で押圧される。トレイ１３がケーシング１１’内に移動した後、フラットケーブル１７’の端部にある屈曲部１７ａが鋭利に曲げられる。フラットケーブル１７’を長い時間に亘って押圧し且つ折り畳むことによって、折り目(crease)が容易に形成され、その結果、フラットケーブル１７’の破損が引き起こされる。従って、屈曲部１７ａの屈曲角度を増大してフラットケーブル１７’の破損を防止するために、フラットケーブル１７’の弾性による湾曲部１７ｂを形成するよう、スリム化された光ディスクドライブ１０は、フラットケーブル１７’の屈曲部１７ａのために、より多くの空間を提供する必要がある。
【０００４】
しかしながら、フラットケーブル１７’の前記端部がコネクタ１９と接続されて湾曲部１７ｂを形成するとき、フラットケーブル１７’はコネクタ１９に対して過剰に曲げられる。フラットケーブル１７’がケーシング１１’の内外に移動して、弛緩状態(loose  state)と湾曲部１７ｂを形成する緊張状態(tight  state)との間で前後に移動するとき、フラットケーブル１７’は、フラットケーブル１７’が長い時間に亘って曲げられた後に容易に破損するので、フラットケーブル１７’は、動作の安定した光ディスクドライブを提供し得ない。従って、従来技術におけるスリム化された光ディスクドライブ１０内のフラットケーブル１７’を保護することについて解決されるべき課題がある。
【先行技術文献】
【特許文献】
【０００５】
【特許文献１】特開２００５−２０３０３９号公報
【発明の概要】
【発明が解決しようとする課題】
【０００６】
本発明の目的は、フラットケーブルが過剰に屈曲してフラットケーブルの耐用年数に影響を及ぼすのを防止するために、フラットケーブルの屈曲部を案内して湾曲部を形成するよう、第二ボードのコネクタ付近に傾斜部を備える光ディスクドライブを提供することである。
【０００７】
本発明の他の目的は、ケーブル保護装置の構成を単純化するよう、傾斜部をトレイと一体的に形成する光ディスクドライブを提供することである。傾斜部は第二ボードのコネクタ付近にある。
【０００８】
本発明の他の目的は、フラットケーブルの屈曲部のための空間を増大するために、トレイの後方終端部を切断して、トレイを後方側表面で終端させるよう、傾斜部をトレイと一体的に形成する光ディスクドライブを提供することである。
【課題を解決するための手段】
【０００９】
上記目的を達成するために、本発明の光ディスクドライブは、ケーシングと、メインボードと、トレイと、第二ボードと、フラットケーブルと、ケーブル保護装置とを含む。メインボードは、ケーシングの後端部に固定される。トレイは、ケーシングの内外に摺動可能に移動する。第二ボードは、金属プレートで覆われたトレイの下に配置され、コネクタが第二ボードの上に配置される。フラットケーブルは、ケーシングの底部の上に固定される。フラットケーブルの一端部は、メインボードに接続され、フラットケーブルの他端部は、第二ボードのコネクタと接続する屈曲部を形成する。ケーブル保護装置は、コネクタに近接して、トレイの下に固定される。ケーブル保護装置は、屈曲部に面する傾斜部を含む。コネクタ付近の端部から光ディスクドライブの後方側に向かって傾斜する傾斜部と、ケーシングの底部との間の距離は、徐々に増大する。
【００１０】
傾斜部と、光ディスクドライブの後方水平軸との間に、鋭角が形成される。本発明のケーブル保護装置は、トレイからケーシングの底部に向かって突出する段構造であり得る。或いは、トレイの後方終端部を切断し、トレイを後方側表面で終端させ得る。フラットケーブルの過剰な屈曲を防止するために、金属プレートのフランジが第二ボードのコネクタ付近にあり、光ディスクドライブの後方方向に沿って突出して、フラットケーブルを傾斜部とクリップ留めする。
【００１１】
本発明のこれらの及び他の目的は、様々な図面及び図中に例示する好適実施態様の以下の詳細な記載を判読した後、当業者に疑いもなく明らかになるであろう。
【図面の簡単な説明】
【００１２】
【図１】従来技術における光ディスクドライブを示す断面図である。
【図２】本発明の第一実施態様に従った光ディスクドライブを示す概略図である。
【図３】本発明の第一実施態様に従った図２中の線Ａ−Ａに沿う光ディスクドライブを示す断面図である。
【図４】本発明の第二実施態様に従った光ディスクドライブを示す断面図である。
【図５】本発明の第三実施態様に従った光ディスクドライブを示す断面図である。
【発明を実施するための形態】
【実施例１】
【００１３】
図２及び図３を参照。図２は本発明の第一実施態様に従った光ディスクドライブ２０の概略図である。図３は本発明の第一実施態様に従った図２中の線Ａ−Ａに沿う光ディスクドライブ２０の断面図である。光ディスクドライブ２０は、ケーシング２１と、トレイ２２と、メインボード２３と、第二ボード２４と、フラットケーブル２５と、ケーブル保護装置２６とを含む。光ディスクドライブ２０は、前方方向Ｆ又は後方方向Ｒにおいて移動し得る。メインボード２３は、ケーシング２１の後端部の上に固定される。トレイ２２はケーシング２１の内外に摺動し得る。第二ボード２４はトレイ２２の下に配置される。コネクタ２７が第二ボード２４の上に配置される。フラットケーブル２５は、ケーシング２１の底部の上に固定される。フラットケーブル２５の一端部は、メインボード２３に接続され、フラットケーブル２５の他端部は、第二ボード２４のコネクタ２７と接続するよう、屈曲部２８を形成する。
【００１４】
ケーブル保護装置２６は、第二ボード２４のコネクタ２７に近接して、トレイ２２の下に固定される。ケーブル保護装置２６は、フラットケーブル２５の屈曲部２８に面する傾斜部２９を含む。屈曲部２８を収容するためのトレイ２２の下の空間がコネクタ２７付近の端部から光ディスクドライブ２０の後方側に向かって徐々に増大するよう、コネクタ２７付近の端部から光ディスクドライブ２０の後方側に向かって傾斜する傾斜部２９と、ケーシング２１の底部との間の距離は、徐々に増大する。
【００１５】
光ディスクドライブ２０の動作中、トレイ２２は外側からケーシング２１内に移動し、弛緩したフラットケーブル２５が押圧されてケーシング２１の底部と接触するので、フラットケーブル２５の後方端部にある屈曲部２８が徐々に減少される。トレイ２２がケーシング２１内に移動して図２に示される位置に至るとき、屈曲部２８は最小サイズまで減少させられ、フラットケーブル２５の弾性によって湾曲部を形成する。コネクタ２７付近の端部から光ディスクドライブ２０の後方側に向かって傾斜する傾斜部２９と、ケーシング２１の底部との間の距離は、後方方向Ｒにおいて徐々に増大され、傾斜部２９と後方方向Ｒとの間に鋭角Θが形成されるので、傾斜部２９は、コネクタ２７と接続されるフラットケーブル２５の屈曲部２８を屈曲変形させ、フラットケーブル２５は、傾斜部２９に沿って接触するよう案内されて湾曲部を形成する。結果的に、フラットケーブル２５の過剰な屈曲を防止するために、フラットケーブル２５の鋭角Θを維持し得る。図３に示すように、好ましくは、鋭角Θは３０度であり得る。この条件において、フラットケーブル２５が過剰に曲げられ且つ破損されるのを防止し得るし、屈曲部２８を延長して湾曲部を形成するよう、フラットケーブルを案内し得る。
【００１６】
光ディスクドライブ２０では、コネクタ２７と接続されるフラットケーブル２５が過剰に曲がって破損して、フラットケーブル２５の耐用年数に影響を及ぼすことを防止するために、傾斜部２９がフラットケーブル２５の屈曲部２８を案内して湾曲部を形成し得るよう、ケーブル保護装置２６を、第二ボード２４のコネクタ２７に近接して、トレイ２２の下に配置し得る。
【実施例２】
【００１７】
図４を参照。図４は、本発明の第二実施態様に従った光ディスクドライブ３０の断面図である。第一実施態様及び第二実施態様の基本構造は実質的に同じである。第一実施態様と第二実施態様との間の相違は、第二実施態様におけるケーブル保護装置３１である。簡潔性のために、図３に例示される素子と同じ機能を有する素子は、図４では同じ参照番号を使用して提供されている。トレイ２２とトレイ２２の下のケーブル保護装置３１とは一体的に形成され、ケーブル保護装置３１は第二ボード２４のコネクタ２７に近接している。傾斜部３２がケーブル保護装置３１の上に配置され、フラットケーブル２５の屈曲部２８に面している。傾斜部３２は、後方方向Ｒにおいて、コネクタ２７付近の端部から光ディスクドライブ３０の後方側に向かって傾斜している。傾斜部３２は、コネクタ２７付近のフラットケーブル２５の屈曲部２８が過剰に曲がるのを防止する。トレイ２２及び傾斜部３２は一体的に形成されるので、それはケーブル保護装置３１の製造及び構造を単純化するのみならず、ケーブル保護装置３１の構造強度も強化する。従って、ケーブル保護装置３１の長さを短縮して、屈曲部２８を収容するためのトレイ２２の下の空間を増大するために、ケーブル保護装置３１はトレイ２２から突出する段構造であり得る。故に、フラットケーブル２５が押圧し且つ破損するのを防止するよう、屈曲部２８をより大きな湾曲部として形成し得る。
【実施例３】
【００１８】
図５を参照。図５は、本発明の第三実施態様に従った光ディスクドライブ４０の断面図である。第一実施態様及び第三実施態様の基本構造は実質的に同じである。第一実施態様と第三実施態様との間の相違は、第三実施態様におけるケーブル保護装置４１、トレイ４２、及び、金属プレート４３である。簡潔性のために、図３に例示する素子と同じ機能を有する素子は、図５では同じ参照番号を使用して提供されている。第三実施態様では、トレイ４２の下のケーブル保護装置４１とトレイ４２とが一体的に形成され、ケーブル保護装置４１は第二ボード２４のコネクタ２７に近接している。傾斜部４４がケーブル保護装置４１の上に配置され、フラットケーブル２５の屈曲部２８に面している。トレイ４２の底部は金属プレート４３で覆われている。コネクタ２７付近のフラットケーブル２５が過剰に曲がるのを防止するために、金属プレート４３のフランジ４５が第二ボード２４のコネクタ２７付近にあり、光ディスクドライブ４０の後方方向に沿って突出し、鋭角Θ内でフラットケーブル２５を傾斜部４４とクリップ留めする。その上、傾斜部４４との協働によってフラットケーブル２５の過剰な屈曲を防止するという目的を達成するために、フランジ４５は、後方方向Ｒに沿って水平に突出する代わりに、斜めにも傾斜し得る。トレイ４２がフラットケーブル２５を押圧することを防止し、且つ、湾曲部を形成するよう屈曲部２８を収容するための空間を増大するために、ケーブル保護装置４１はトレイ４２の後方終端部に接続される。即ち、トレイ４２の後方終端部を切断し、トレイ４２を後方側表面４６で終端させ得る。結果的に、より大きな湾曲部が屈曲部２８によって形成され、フラットケーブル２５が押圧し且つ破損することを防止する。
【００１９】
従って、第二実施態様及び第三実施態様では、光ディスクドライブの構造を単純化するために、光ディスクドライブのケーブル保護装置は、第二ボードのコネクタ付近でトレイと一体的に形成される。ケーブル保護装置の長さを短縮し或いはトレイの後方終端部を切断することは、屈曲部のための空間を増大して、フラットケーブルが押圧し且つ破損することを防止し得る。
【００２０】
当業者は、本発明の教示を保持しながら装置及び方法の数多くの変形及び代替を行い得ることを、直ちに観察するであろう。従って、上記開示は、付属の請求項の境界によってのみ限定されるように解釈されるべきである。
【符号の説明】
【００２１】
１０    光ディスクドライブ  (optical  disc  drive)
１１    ケーシング  (casing)
１１’  スリム化されたケーシング  (slimmed  casing)
１２    メインボード  (main  board)
１３    トレイ  (tray)
１４    スピンドルモータ  (spindle  motor)
１５    ディスク  (disc)
１６    第二ボード  (second  board)
１７    フラットケーブル  (flat  cable)
１７ａ  屈曲部  (bent  portion)
１７ｂ  湾曲部  (curve  portion)
１７’  フラットケーブル  (flat  cable)
１８    金属プレート  (metal  plate)
１９    コネクタ  (connector)
２０    光ディスクドライブ  (optical  disc  drive)
２１    ケーシング  (casing)
２２    トレイ  (tray)
２３    メインボード  (main  board)
２４    第二ボード  (second  board)
２５    フラットケーブル  (flat  cable)
２６    ケーブル保護装置  (cable  protection  device)
２７    コネクタ  (connector)
２８    屈曲部  (bent  portion)
２９    傾斜部  (incline)
３０    光ディスクドライブ  (optical  disc  drive)
３１    ケーブル保護装置  (cable  protection  device)
３２    傾斜部  (incline)
４０    光ディスクドライブ  (optical  disc  drive)
４１    ケーブル保護装置  (cable  protection  device)
４２    トレイ  (tray)
４３    金属プレート  (metal  plate)
４４    傾斜部  (incline)
４５    フランジ  (flange)
Ｆ      前方方向  (forward  direction)
Ｒ      後方方向  (rearward  direction)